(57)【要約】【課題】  スピーカとマイクロホンとを適切な間隔に保持して音響特性の向上を図る。【解決手段】  スピーカ１６と無線送受信回路部等を搭載した回路基板１４を内蔵し、スピーカ１６の放音部１５が耳元４にあてがわれる本体部１１と、この本体部１１から略円弧状を呈して突出形成されて耳殻３に掛け合わされることによって本体部１１を保持する弾性アーム部１２とから構成され、弾性アーム部１２を耳殻３に掛け合わせた状態においてその先端部１２ｂが口元５に近接して延在され、この先端部１２ｂの内部に無線送受信回路部と接続されたマイクロホン２３を内蔵する。【選択図】  図２
2005277995.tif 000002
【特許請求の範囲】
【請求項１】
スピーカと無線送受信回路部を内蔵し、前記スピーカの放音部が耳穴を覆うようにしてあてがわれる本体部と、
前記本体部から略円弧状を呈して突出形成され、耳殻に掛け合わされることによって前記本体部を保持する弾性アーム部とを有し、
前記弾性アーム部は、耳殻に掛け合わせた状態においてその先端部が口元に近接して延在され、この先端部の内部に前記無線送受信回路部と接続されたマイクロホンを内蔵することによって前記スピーカとの間隔を保持したことを特徴とする無線ヘッドセット装置。
【請求項２】
前記無線送受信回路部が、本体機器を構成する携帯電話機に搭載したブルートゥースモジュールとブルートゥース通信規格に基づく無線通信方式により無線接続されるブルートゥースモジュールであることを特徴とする請求項１に記載の無線ヘッドセット装置。
【請求項３】
前記弾性アーム部が、前記本体部の取付部に対して着脱自在とされることを特徴とする請求項１又は請求項２のいずれか１項に記載の無線ヘッドセット装置。
【請求項４】
前記弾性アーム部が、前記本体部側と前記マイクロホンを内蔵した先端部位とが途中部位を鞘構造で組み合わされることによって長さ調整が自在とされることを特徴とする請求項１乃至請求項３のいずれか１項に記載の無線ヘッドセット装置。
【請求項５】
前記マイクロホンが、前記弾性アーム部の先端部に対して着脱自在とされることを特徴とする請求項１乃至請求項４のいずれか１項に記載の無線ヘッドセット装置。
【発明の詳細な説明】
【技術分野】
【０００１】
本発明は、例えば携帯電話機と無線接続される無線送受信回路部と接続されたスピーカとマイクロホンとを内蔵し、利用者の耳殻に装着されることによって携帯電話機を把持することなく相手側との通話を行い得るようにする無線ヘッドセット装置に関する。
【背景技術】
【０００２】
例えば携帯電話機は、すさまじいほどの多機能化及び複合化が図られており、通話装置としての機能から情報端末装置として機能の比重が大きくなっている。携帯電話機においては、大容量のメモリや情報コネクタを備えることによって、例えばコンピュータと接続することにより各種の情報等の授受が行われている。携帯電話機においては、例えばインターネット網や音楽配信サービス網等と接続して種々の情報や音楽情報等を入手し、これら情報を液晶表示器に表示したりスピーカによって聴取したりする。携帯電話機においては、例えば搭載したＣＣＤカメラによって撮像した画像情報を待受け画面として液晶表示器に表示したりコンピュータや通話相手に伝送したりすることも一般に行われている。
【０００３】
携帯電話機においては、利用者が耳と口にスピーカ部とマイクロホン部とをあてがった状態で把持することなく使用することを可能とするため、スピーカとマイクロホンとを内蔵したヘッドセットが付属機器として用いられている。携帯電話機においては、従来ではヘッドセットと通信ケーブルにより接続を行っていたが、使い勝手のよい無線で接続が行うヘッドセットが提供されている。また、無線ヘッドセットについても、常時用いられるほどでは無く頭部に装着して用いるヘッドセットと比べて小型であることから、耳殻に掛け合わされて用いるいわゆる耳掛け型無線ヘッドセットが提供されている。（例えば、特許文献１乃至特許文献３を参照。）。
【０００４】
携帯電話機は、コンピュータ等との無線接続が例えばＩｒＤＡ（Inffared Data Association）規格に基づく赤外線無線通信方式やブルートゥース（Bluetooth）規格に基づく近距離無線データ通信技術方式によって無線接続が可能となっている。携帯電話機は、付属装置としてヘッドセットについてもかかる無線通信方式に基づいて無線接続を行うように構成することによって、手持ちすることなく通話を行うことが可能とされる。
【特許文献１】特開平９−９３１５３号公報
【特許文献２】特開２０００−３２４２１８号公報
【特許文献３】特開２００２−１１８６３５号公報
【発明の開示】
【発明が解決しようとする課題】
【０００５】
ところで、従来の耳掛け型ヘッドセットは、小型化を図らなければならないために、上述した特許文献１のように筐体の内部にスピーカとマイクロホンとを内蔵して構成していた。かかる耳掛け型ヘッドセットは、筐体が小型であるためにスピーカとマイクロホンとが近接して配置される構造となり、通話時にエコー現象やハウリング現象が生じてしまうといった問題があった。耳掛け型ヘッドセットは、例えば筐体の内部に仕切壁を設けてスピーカとマイクロホンとを音響的に隔離することも行われているが、構造が複雑となるとともに充分な対応とはなり得なかった。
【０００６】
また、上述した特許文献２や特許文献３に記載された耳掛け型ヘッドセットおいては、耳掛けアームをスピーカ部に設けるとともに、このスピーカ部から延長したアームの先端にマイクロホンを内蔵してマイクロホン部が構成されている。かかる耳掛け型ヘッドセットは、スピーカとマイクロホンとの間隔が保持されて、音響特性の向上が図られるように
なる。しかしながら、かかる耳掛け型ヘッドセットは、耳掛けアームとスピーカ部とマイクロホン部とから構成されることによって全体が大型となるとともに構造も複雑となり、小型化された携帯電話機の付属機器として使い勝手が極めて悪いといった問題があった。
【０００７】
さらに、ヘッドセットは、携帯電話機が例えば音楽の配信サービスを受けたり、受信したテレビ放送を液晶表示器によって視聴したりする場合には、スピーカのみを使用するためにマイクロホンが邪魔になる。
【０００８】
したがって、本発明は、スピーカとマイクロホンとを適切な間隔に保持することにより音響特性の向上を図った小型で使い勝手のよい無線ヘッドセット装置を提供することを目的に提案されたものである。
【課題を解決するための手段】
【０００９】
上述した目的を達成する本発明にかかる無線ヘッドセット装置は、スピーカと無線送受信回路部を内蔵し、スピーカの放音部が耳穴を覆うようにしてあてがわれる本体部と、この本体部から略円弧状を呈して突出形成されて耳殻に掛け合わされることによって本体部を保持する弾性アーム部とから構成される。無線ヘッドセット装置は、弾性アーム部が、耳殻に掛け合わせた状態においてその先端部が口元に近接して延在され、この先端部の内部に無線送受信回路部と接続されたマイクロホンを内蔵する。
【００１０】
以上のように構成された無線ヘッドセット装置においては、利用者が弾性アーム部を耳殻に掛け合わすことによってスピーカが耳穴を覆うようにしてあてがわれるとともに弾性アーム部の先端に内蔵したマイクロホンが口元に対向位置される。無線ヘッドセット装置においては、本体部に内蔵されたスピーカに対して弾性アーム部の先端部に設けられたマイクロホンが充分な間隔に保持される。無線ヘッドセット装置においては、弾性アーム部を湾曲操作することによって、利用者が個々にマイクロホンを口元に位置合わせして良好な通話が行われるようになる。無線ヘッドセット装置においては、弾性アーム部を適宜折り曲げる等することにより、未使用時等において省スペース化が図られる。
【００１１】
また、本発明にかかる無線ヘッドセット装置は、無線送受信回路部が、本体機器を構成する携帯電話機と、ブルートゥース規格に基づく無線通信方式によって無線接続される。無線ヘッドセット装置においては、チップ化された小型で汎用性の大きいブルートゥース無線通信規格のブルートゥースモジュールからなる無線送受信回路部を備えることによって、小型化されるとともに様々な本体機器或いはこの本体機器と接続された周辺機器との間で情報の授受が行われるようにする。
【００１２】
さらにまた、本発明にかかる無線ヘッドセット装置は、弾性アーム部が本体部の取付部に対して着脱自在とされることで、未使用時等において本体部とマイクロホン部とを分割することによって、省スペース化が図られる。無線ヘッドセット装置においては、長さや湾曲状態を異にする弾性アーム部を選択して付け替え可能とすることにより、スピーカ部とマイクロホン部とが利用者の耳元と口元に最適に対向位置して良好な通話が行われるようになる。
【００１３】
さらにまた、本発明にかかる無線ヘッドセット装置は、弾性アーム部が本体部側とマイクロホンを内蔵した先端部位とが途中部位を鞘構造で組み合わされることによって、長さ調整が自在に構成される。無線ヘッドセット装置においては、本体部側に対して先端部を引延ばし操作することによって、マイクロホンが口元に位置合わせされて良好な通話が行われるようになる。また、無線ヘッドセット装置においては、未使用時等において本体部側に対して先端部を引き込ませることによって、省スペース化が図られる。
【００１４】
さらにまた、本発明にかかる無線ヘッドセット装置は、マイクロホンが、弾性アーム部の先端部に対して着脱自在に構成される。無線ヘッドセット装置においては、本体機器側で音楽の配信サービスを受けたりテレビ放送を受信して番組を視聴する等の通話を行わない使用形態の際に、マイクロホン部が取り外される。
【発明の効果】
【００１５】
以上のように構成された本発明にかかる無線ヘッドセット装置によれば、スピーカを内蔵した本体部に突出形成されて耳殻に掛け合わされる弾性アーム部の先端部にマイクロホンを内蔵したことにより、利用者が弾性アーム部を耳殻に掛け合わすとスピーカが耳穴を覆うようにしてあてがわれるとともに弾性アーム部の先端に設けたマイクロホンが口元に対向位置されことでスピーカとマイクロホンが充分な間隔に保持される。無線ヘッドセット装置によれば、本体機器を手持ちすることなく通話を行うことが可能であるとともに通話時にエコーやハウリングの発生が防止されるとともにスピーカとマイクロホンとが耳と口元に的確に対向位置されることで通話特性の向上が図られるようになる。無線ヘッドセット装置によれば、小型軽量化が図られて、長時間の使用でも疲れや煩わしさを与えることは無く使い勝手の向上が図られるようになる。
【発明を実施するための最良の形態】
【００１６】
以下、本発明の実施の形態として示す無線ヘッドセット装置１０について図面を参照して詳細に説明する。無線ヘッドセット装置１０は、例えば携帯電話機１のオプション機器として提供され、ブルートゥース規格に基づく無線通信方式によって携帯電話機１と無線接続されて用いられる。無線ヘッドセット装置１０は、図１に示すように利用者２が耳殻３に掛け合わせて使用することにより、後述するスピーカ１６が耳４と対向されるとともにマイクロホン２３が口元５と対向される。無線ヘッドセット装置１０は、携帯電話機１がそのスピーカ部６とマイクロホン部７とを耳４や口元５にあてがうように手持して保持せずとも、また液晶表示器８の画面を見ながらでも通話を行うことを可能とする。
【００１７】
また、無線ヘッドセット装置１０は、携帯電話機１が例えば音楽や各種コンテンツの配信サービスを受けたりテレビ放送を受信して番組を視聴したりする場合にも、液晶表示器８の画面を見ながらコンテンツや放送番組の視聴を可能とする。無線ヘッドセット装置１０は、携帯電話機１が例えばコンピュータやオーディオ機器等とブルートゥースによって接続されることにより、コンピュータやオーディオ機器から出力された画像情報を液晶表示器８の画面で見ながらスピーカ１６によって音声情報の視聴を可能とする。なお、無線ヘッドセット装置１０は、携帯電話機１ばかりでなく、無線通話機能を有する適宜の装置に対しても用いることが可能であり、マイクロホン２３によって音声情報を適宜供給することが可能である。
【００１８】
ブルートゥース規格に基づく無線通信方式は、周知のように２．４５ＧＨｚ周波数帯域を利用して１０メートルの通信範囲で最大７２１ｋビット／秒程度のデータ伝送速度によりデータ伝送を行う。ブルートゥース無線通信には、１チップ化されて一般に提供されており、例えばアンテナ素子、ＲＦ回路とベースバンド信号処理回路、フラッシュＥＥＰＲＯＭ（electrically erasable/programable readonly memory）或いは水晶発振器等を有するブルートゥースモジュールが用いられる。無線ヘッドセット装置１０は、このブルートゥースモジュールチップを搭載することによって無線送受信回路部を構成し、携帯電話機１に内蔵された同等機能のブルートゥースモジュールチップとの間において無線により種々の情報の授受を行う。
【００１９】
無線ヘッドセット装置１０は、図２及び図３に示すように、一般的な大人の耳の大きさとほぼ等しい外形寸法を有する全体略縦長楕円形状を呈して形成された本体部１１と、この本体部１１から一体に突出形成された弾性アーム部１２とから構成される。本体部１１
には、その内部に詳細を省略するブルートゥースモジュールチップ１３や制御回路部或いは電源回路部等を搭載した回路基板１４が内蔵されている。
【００２０】
本体部１１には、後述するように弾性アーム部１２を耳殻３に掛け合わせて耳４に装着した状態において耳穴と対向される内側の第１主面１１ａに、図２に示すように、多数個の放音孔１５が形成されている。本体部１１には、これら放音孔１５に放音部を対向させて回路基板１４に搭載されたスピーカ１６が内蔵されている。本体部１１には、放音孔１５を囲んで第１主面１１ａにいわゆる耳当たりを良好とする緩衝材１６ａが貼り合わされている。
【００２１】
また、本体部１１には、図示を省略するがその内部に内部諸回路等に対して電源を供給する二次電池が内蔵されるとともに、この二次電池を充電するための一対の充電端子１７ａ、１７ｂが外周部に露出されて設けられている。充電端子１７ａ、１７ｂは、本体部１１の弾性アーム部１２が延在する側面と対向する側面側に配置したが、充電器の構造や全体意匠との調整によって適宜の位置に配置されることは勿論である。また、充電端子１７ａ、１７ｂは、蓋体によって覆うようにして、充電を行う場合において本体部１１の表面に露出させるように構成してもよい。
【００２２】
本体部１１には、耳４に装着した状態において外側となる上述した第１主面１１ａと対向する第２主面１１ｂに、図３に示すようにオン・オフの切換を行うスイッチボタン１８と、このスイッチボタン１８を挟んでボリュームをダウンさせる第１ボリュームボタン１９と、ボリュームをアップさせる第２ボリュームボタン２０とが設けられている。これら各ボタン１８乃至２０は、操作面が第２主面１１ｂと略同一面を構成し、不用意に操作されないように構成されている。
【００２３】
スイッチボタン１８は、押圧操作する毎にオン・オフの切換が行われるいわゆるプッシュ・プッシュ型スイッチであり、携帯電話機１との接続のオン・オフの切換を行う。第１ボリュームボタン１９と第２ボリュームボタン２０は、詳細を省略するが回路基板１４に搭載された音量調整回路と接続されており、押圧操作する毎にスピーカ１６から放音される音量を段階的にダウン或いはアップさせる。
【００２４】
なお、本体部１１には、例えば第２主面１１ｂにオン・オフの切換状態を表示するＬＥＤ等の表示部を設けるようにしてもよい。また、本体部１１には、その他の切換スイッチボタン等を設けるようにしてもよく、上述したプッシュ・プッシュ型スイッチに限定されるものでは無いことは勿論である。ただし、本体部１１は、耳４に装着して用いることから様々な機能を搭載することによって重量が大きくなったり大型化してしまわないように構成される。
【００２５】
無線ヘッドセット装置１０は、本体部１１の略頂頭部に位置して取付部２１が一体に突出形成されており、この取付部２１を介して基端部が一体化されることにより本体部１１から弾性アーム部１２が突出形成されている。取付部２１は、本体部１１の略頂頭部から第１主面１１ａ側へと一般的な大人の耳殻の厚みとほぼ等しい突出量を以って突出する筒状部位からなり、その先端に弾性アーム部１２の基端部１２ａが結合される。
【００２６】
弾性アーム部１２は、図示を省略するが例えばエラストマー等の弾性材によって全体略筒状を呈して形成された外筒部と、この外筒部の内部に全長に亘って埋設された多数本のピアノ線等の金属線とから構成される。弾性アーム部１２は、図１乃至図３に示すように本体部１１の外周部を略半周分取り囲むようにして半円弧状を呈するとともに、中央部からやや先端側の部位が次第に捻られることによって図１に示すように先端部１２ｂが本体部１１の下方部位において第１主面１１ａと対向して延在するように湾曲されている。な
お、弾性アーム部１２は、上述した構造から手軽でかつ軽微な力で適宜の形状に湾曲させることが可能であるとともに、この形状がピアノ線によって保持される。
【００２７】
弾性アーム部１２には、緩衝材２２によって被覆された先端部１２ｂの内部に小型のマイクロホン２３が収納されている。弾性アーム部１２には、詳細を省略するがマイクロホン２３の集音部との対向壁にマイク孔が形成されている。弾性アーム部１２には、回路基板１４に形成した音響処理回路部と接続されて取付部２１を介して本体部１１から引き出された導線がその内部を導通され、これら導線の先端部が先端部１２ｂに内蔵したマイクロホン２３と接続されている。
【００２８】
以上のように構成された無線ヘッドセット装置１０は、第１主面１１ａを内側にして本体部１１が耳４にあてがわれるとともに、弾性アーム部１２が耳殻３と頭部との間に掛け合わされることによって図１に示すように利用者２の耳４に装着される。無線ヘッドセット装置１０は、本体部１１と弾性アーム部１２とによって耳殻３を挟み込むとともに、耳４に弾性アーム部１２が懸架された状態を呈し、極めて簡易な操作によって素早く耳４に装着することが可能である。
【００２９】
無線ヘッドセット装置１０は、耳４に装着した状態において第１主面１１ａに形成した放音孔１５、換言すればスピーカ１６が耳穴と対向されるとともに、弾性アーム部１２の先端部１２ｂに内蔵したマイクロホン２３が口元５と対向位置される。無線ヘッドセット装置１０は、マイクロホン２３が口元５と対向位置されない場合に、弾性アーム部１２の途中箇所を適宜湾曲させる調整操作が行われる。
【００３０】
無線ヘッドセット装置１０は、携帯電話機１によって例えば被呼者との通話を行うが、スイッチボタン１８をオン操作することによって、スピーカ１６とマイクロホン２３とによって利用者２が手持して保持せずともいわゆるハンズフリーで通話を行うことを可能とする。無線ヘッドセット装置１０においては、携帯電話機１において受信した被呼者側の音声がそのブルートゥースチップから本体部１１に内蔵したブルートゥースチップへと無線伝送されて、スピーカ１６から再生される。また、無線ヘッドセット装置１０においては、利用者２の音声が、音声信号に変換されて本体部１１に内蔵したブルートゥースチップから携帯電話機１側のブルートゥースチップへと無線伝送され、携帯電話機１から被呼者へと発信される。
【００３１】
無線ヘッドセット装置１０においては、上述したように本体部１１にスピーカ１６が内蔵されるとともに弾性アーム部１２の先端部１２ｂにマイクロホン２３が内蔵された構造となっている。したがって、無線ヘッドセット装置１０においては、スピーカ１６とマイクロホン２３とが充分な間隔に保持され、通話時にエコーやハウリングの発生が防止されて良好な通話特性を保持して通話が行われるようになる。
【００３２】
無線ヘッドセット装置１０においては、スピーカ１６が利用者２の耳元４にスピーカ１６が密着するとともに口元５に近接してマイクロホン２３が対向配置されている。したがって、無線ヘッドセット装置１０においては、外部への音漏れが最小限となり秘話性の向上が図られるようになるとともに、例えば騒音雰囲気の中でも明瞭な通話を行うことが可能となる。
【００３３】
無線ヘッドセット装置１０においては、弾性アーム部１２の湾曲状態を適宜調整することによって、マイクロホン２３を口元５に対して最適な位置に調整することが可能であることから汎用性が極めて高く、また上述した騒音雰囲気の中での通話特性を向上させることが可能である。無線ヘッドセット装置１０においては、例えば未使用時に弾性アーム部１２を小さく湾曲させることによって邪魔にならないようにして取り扱うことが可能であ
り、使い勝手の向上が図られるようになる。
【００３４】
無線ヘッドセット装置１０においては、上述したように携帯電話機１をハンズフリーの態様で使用して例えば音楽や各種コンテンツの配信サービスを受けたりテレビ放送を視聴したりする使用形態でも用いられる。無線ヘッドセット装置１０においては、呼吸音等がマイクロホン２３に拾われてスピーカ１６に回り込むことにより煩わしさを感じることもあるが、スイッチボタン１８をオフ操作してマイクロホン２３のみをオフ状態とすることも可能である。
【００３５】
第２の実施の形態として図４及び図５に示した無線ヘッドセット装置３０は、弾性アーム部３１に対してマイクロホン部３２を着脱自在な構成とすることによって、上述したマイクロホン２３を使用しない使用形態に好適に対応可能となる。なお、無線ヘッドセット装置３０は、弾性アーム部３１とマイクロホン部３２とを除くその他の構成を上述した無線ヘッドセット装置１０の対応する部位と同等とすることから、対応する部位に同一符号を付すことによって説明を省略する。
【００３６】
無線ヘッドセット装置３０においては、弾性アーム部３１が、基本的な構成を上述した弾性アーム部１２と同様としており、基端部３１ａが本体部１１に対して取付部２１を介して取り付けられている。弾性アーム部３１には、先端部３１ｂの外周部にねじ３３が形成され、また詳細を省略するコネクタが設けられている。
【００３７】
マイクロホン部３２は、全体が有底筒状を呈して形成されており、内部にマイクロホン２３が内蔵されている。マイクロホン部３２は、開口部側に内周部に弾性アーム部３１側の外周ねじ３３にねじ込まれる内周ねじを形成した結合リング部材３４が脱落を阻止されて組み付けられるとともに、弾性アーム部３１側のコネクタと結合されるコネクタが設けられている。
【００３８】
無線ヘッドセット装置３０は、特にマイクロホン２３を使用しない場合には、弾性アーム部３１に対してマイクロホン部３２が取り外されている。すなわち、無線ヘッドセット装置３０においては、結合リング部材３４を緩めた状態で弾性アーム部３１からマイクロホン部３２を引き抜くことによって、コネクタの結合状態が解除されて弾性アーム部３１とマイクロホン部３２とが分離される。
【００３９】
無線ヘッドセット装置３０においては、弾性アーム部３１とマイクロホン部３２とを分離した状態からマイクロホン２３を使用する場合に、弾性アーム部３１の先端部３１ｂにマイクロホン部３２をつなぎ合わせるとともに相対するコネクタを結合する。無線ヘッドセット装置３０においては、この状態で結合リング部材３４を弾性アーム部３１側に移動させてその内周ねじに外周ねじ３３をねじ合わせする。無線ヘッドセット装置３０においては、結合リング部材３４を回転操作して内周ねじを外周ねじ３３にねじ込むことによって弾性アーム部３１の先端部３１ｂにマイクロホン部３２を一体化する。
【００４０】
無線ヘッドセット装置３０は、上述した構造によって、使用形態に応じてマイクロホンスイッチを設けることなく、不要時にマイクロホン２３の影響が排除されるようにして良好な状態で音楽等の視聴が可能となる。無線ヘッドセット装置３０は、マイクロホン部３２を分離可能とすることにより、未使用時においてより省スペース化が図られるようになる。無線ヘッドセット装置３０は、例えば利用者２が好みのマイクロホン部３２を選択して用いるといった使用形態も可能である。
【００４１】
なお、無線ヘッドセット装置３０は、弾性アーム部３１とマイクロホン部３２との結合構造が上述した構造に限定されるものでは無いことは勿論である。無線ヘッドセット装置
３０には、弾性アーム部３１とマイクロホン部３２とが、機械的かつ電気的に結合される種々の構造が採用される。無線ヘッドセット装置３０は、例えば相対して係合する凹部と凸部とを有するバネ片を結合することにより、弾性アーム部３１とマイクロホン部３２とが機械的かつ電気的にワンタッチで結合されるような構造であってもよい。
【００４２】
第３の実施の形態として図６に示した無線ヘッドセット装置４０は、本体部１１に形成した取付部４１に対して弾性アーム部４２が着脱自在に構成されている。無線ヘッドセット装置４０は、本体部１１の取付部４１に例えば内周ねじを形成した結合リング部材４３が脱落を阻止されて組み付けられている。取付部４１には、図示を省略するが開口部にコネクタが組み込まれている。なお、本体部１１は、取付部４１を除くその他の構成について上述した無線ヘッドセット装置１０と同等とすることから、対応する部位に同一符号を付すことにより説明を省略する。
【００４３】
無線ヘッドセット装置４０は、弾性アーム部４２の基端部４２ａに、詳細を省略するがやや剛性を有するとともにコネクタが内蔵された結合部４４が形成されている。なお、弾性アーム部４２は、基端部４２ａを除くその他の構成について上述した無線ヘッドセット装置１０と同等とすることから、対応する部位に同一符号を付すことにより説明を省略する。
【００４４】
無線ヘッドセット装置４０においては、未使用時において、上述した無線ヘッドセット装置３０の操作と同様の操作によって本体部１１から弾性アーム部４２が取り外され、分離された状態で適宜保管される。また、無線ヘッドセット装置４０においては、本体部１１に対して弾性アーム部４２の全体を着脱自在とすることにより、利用者２が例えば適宜の長さや曲がりを有する弾性アーム部４２を選択することが可能である。
【００４５】
したがって、無線ヘッドセット装置４０においては、個々の利用者２が耳元４や口元５に対してスピーカ１５とマイクロホン２３とを最適に対向位置するように調整して良好な通話が行われるようになる。無線ヘッドセット装置４０においては、例えば色違いや細部仕様を異にする本体部１１と弾性アーム部４２とを適宜組み合わせることにより、多様性が図られるようになる。
【００４６】
第４の実施の形態として図７に示した無線ヘッドセット装置５０は、弾性アーム部５１に全長を調整自在とする構造が備えられている。無線ヘッドセット装置５０は、この全長調整構造を除くその他の構成を上述した無線ヘッドセット装置１０と同様とすることから対応する部位に同一符号を付すことにより説明を省略する。
【００４７】
弾性アーム部５１は、取付部２１に結合される基端アーム部５２とマイクロホン２３を内蔵した先端アーム部５３とに分割して構成されている。弾性アーム部５１は、例えば基端アーム部５２側がやや大径に形成されており、その内孔５２ａの内径が先端アーム部５３の外径とほぼ等しく形成されている。弾性アーム部５１は、基端アーム部５２の開口された先端部側からその内孔５２ａに先端アーム部５３の先端部が嵌合されたいわゆる鞘構造を以って組み合わされている。
【００４８】
弾性アーム部５１には、詳細を省略するが基端アーム部５２の開口端と先端アーム部５３の嵌合端部とに適宜のストッパ構造が形成されており、基端アーム部５２から先端アーム部５３が脱落しないように構成されている。弾性アーム部５１は、基端アーム部５２に対して先端アーム部５３がきつく嵌合することによって、任意の位置で停止することが可能となっている。弾性アーム部５１は、基端アーム部５２の内孔５２ａと先端アーム部５３の外周部とに長さ方向に位置して複数のクリック凸部とクリック凹部とを形成することにより、基端アーム部５２に対する先端アーム部５３の引き出し位置を規制するように構
成してもよい。
【００４９】
無線ヘッドセット装置５０においては、上述した構成から基端アーム部５２に対して先端アーム部５３の引き出し量を調整することにより弾性アーム部５１の全長が調整され、利用者２が耳元４や口元５に対してスピーカ１５とマイクロホン２３とを最適に対向位置するように調整して良好な通話が行われるようになる。また、無線ヘッドセット装置５０においては、未使用時等において、基端アーム部５２に対して先端アーム部５３を引き込ませるようにスライド操作することにより、弾性アーム部５１の全長が短縮されて省スペース化が図られるようになる。
【００５０】
なお、無線ヘッドセット装置５０においては、基端アーム部５２に対して先端アーム部５３とをスライド操作する際に、内向に導通した導線の捩れ等を防止する適宜の導線ガイド構造を設けるようにしてもよい。
【図面の簡単な説明】
【００５１】
【図１】本発明の実施の形態として示す無線ヘッドセット装置の使用状態の説明図である。
【図２】無線ヘッドセット装置の正面図である。
【図３】無線ヘッドセット装置の背面図である。
【図４】第２の実施の形態として示す無線ヘッドセット装置の分解正面図である。
【図５】無線ヘッドセット装置の背面図である。
【図６】第３の実施の形態として示す無線ヘッドセット装置の分解正面図である。
【図７】第４の実施の形態として示す無線ヘッドセット装置の一部切り欠き正面図である。
【符号の説明】
【００５２】
１        携帯電話機
２        利用者
３        耳殻
５        口元
１０      無線ヘッドセット装置
１１      本体部
１２      弾性アーム部
１３      ブルートゥースモジュール
１４      回路基板
１６      スピーカ
２１      取付部
２３      マイクロホン
３０      無線ヘッドセット装置
３１      弾性アーム部
３２      マイクロホン部
４１      取付部
４２      弾性アーム部
５０      無線ヘッドセット装置
５１      弾性アーム部
５２      基端アーム部
５３      先端アーム部
【図１】
2005277995.tif 000003
【図２】
2005277995.tif 000004
【図３】
2005277995.tif 000005
【図４】
2005277995.tif 000006
【図５】
2005277995.tif 000007
【図６】
2005277995.tif 000008
【図７】
2005277995.tif 000009